(57)【要約】  【課題】  原稿の両面読み取りにおいて、原稿１ページ分の画像データを用いてこの画像データに対する画像処理を行うための画像パラメータを設定する場合に、必要なメモリ量を少なくする。  【解決手段】  画像読み取り装置は、搬送される原稿の一方の面を読み取るＣＣＤイメージセンサ７８と、原稿の他方の面を読み取るＣＩＳ５０とを備えている。両面読み取り且つ白黒読み取りが選択された場合であっても、原稿１ページ分の画像データに基づく画像パラメータを用いて原稿の下地を除去する全面下地除去モードが選択された場合には、原稿を反転搬送させて原稿両面の画像を順次読み取る。また、原稿先端部の画像データに画像パラメータを用いて原稿の下地を除去する先端下地除去モードが選択された場合には、原稿を反転させることなく原稿両面の画像を一度に読み取る。  【選択図】  図１
2005151001.tif 000002
【特許請求の範囲】
【請求項１】
原稿を給紙する給紙部と、
前記給紙部より給紙された原稿が搬送される搬送路と、
前記搬送路の一方の側から原稿の片面の画像を読み取る第１のセンサと、
前記一方の側とは前記搬送路を介して対向する他方の側から原稿の片面の画像を読み取る第２のセンサと、
前記第１のセンサにより画像が読み取られた原稿の表裏を反転させて前記搬送路に反転搬送するための反転搬送路とを備え、
原稿１ページ分の画像データを用いて当該画像データに対する画像処理を行うための画像パラメータを設定する場合に、前記搬送路を搬送される原稿の片面を前記第１のセンサにて読み取り、前記反転搬送路を経由して当該搬送路に当該原稿を反転搬送してから当該原稿の他の片面を当該第１のセンサにて読み取る第１の両面読み取りモードと、
原稿１ページ分の画像データを用いて当該画像データに対する画像処理を行うための画像パラメータを設定しない場合に、前記搬送路への原稿の一度の搬送で当該原稿における表裏両面の画像を前記第１のセンサおよび前記第２のセンサにて読み取る第２の両面読み取りモードと
を有する画像読み取り装置。
【請求項２】
前記第１のセンサまたは前記第２のセンサにて読み取られた画像データを格納するメモリをさらに備えることを特徴とする請求項１記載の画像読み取り装置。
【請求項３】
前記メモリは、原稿２ページ分未満の画像データに対応する容量を有していることを特徴とする請求項２記載の画像読み取り装置。
【請求項４】
前記第１の両面読み取りモードでは、前記第１のセンサにて読み取られた片面の原稿１ページ分の画像データを前記メモリに格納すると共に当該片面の原稿１ページ分の画像データに基づいて画像処理パラメータを設定し、当該メモリから読み出した当該画像データに対し当該画像処理パラメータを用いた画像処理を施して出力し、反転搬送され前記第１のセンサにて読み取られた他の片面の原稿１ページ分の画像データを前記メモリに格納すると共に当該他の片面の原稿１ページ分の画像データに基づいて画像処理パラメータを設定し、当該メモリから読み出した当該画像データに対し当該画像処理パラメータを用いた画像処理を施して出力することを特徴とする請求項２記載の画像読み取り装置。
【請求項５】
前記第２の両面読み取りモードでは、前記第１のセンサにて読み取られた片面の原稿１ページ分の画像データを出力すると共に、前記第２のセンサにて読み取られた他の片面の原稿１ページ分の画像データを前記メモリに格納した後に出力することを特徴とする請求項２記載の画像読み取り装置。
【請求項６】
原稿を給紙する給紙部と、
前記給紙部より給紙された原稿が搬送される搬送路と、
前記搬送路の一方の側から原稿の片面の画像を読み取る第１のセンサと、
前記一方の側とは前記搬送路を介して対向する他方の側から原稿の片面の画像を読み取る第２のセンサと、
前記第１のセンサにより画像が読み取られた原稿の表裏を反転させて前記搬送路に反転搬送するための反転搬送路と、
原稿の画像データを読み取る際あるいは原稿の画像データを読み取った後に施される処理の前処理を行う場合に、前記搬送路を搬送される原稿の片面を前記第１のセンサにて読み取らせた後、前記反転搬送路を経由して当該搬送路に当該原稿を反転搬送させ、当該原稿の他の片面を当該第１のセンサにて読み取らせる読み取り制御部と
を有する画像読み取り装置。
【請求項７】
前記前処理は、画像データから原稿の下地を除去するためのパラメータ設定であることを特徴とする請求項６記載の画像読み取り装置。
【請求項８】
原稿における第１面の画像データを読み取る第１の読み取り手段と、
原稿における第２面の画像データを読み取る第２の読み取り手段と、
前記第２の読み取り手段にて読み取られた前記第２面の画像データを格納する格納手段と、
前記第１の読み取り手段で読み取られた前記第１面の画像データが出力された後に、前記格納手段に格納される前記第２面の画像データを出力する出力手段と、
前記第１の読み取り手段にて読み取られた前記第１面の画像データに基づいて当該第１面の画像データに対する画像処理を行うための画像パラメータを設定する際、前記格納手段に当該第１面の画像データを転送する転送手段と
を有する画像読み取り装置。
【請求項９】
前記転送手段は、得られた前記画像パラメータに基づいて画像処理を行う際、前記格納手段に格納される前記第１面の画像データを読み出すことを特徴とする請求項８記載の画像読み取り装置。
【請求項１０】
前記画像パラメータを設定する場合には、原稿の読み取りに前記第１の読み取り手段のみを使用することを特徴とする請求項８記載の画像読み取り装置。
【発明の詳細な説明】
【技術分野】
【０００１】
本発明は、原稿上の画像を読み取る画像読み取り装置に係り、より詳しくは、表裏両面の画像を読み取ることのできる画像読み取り装置に関する。
【背景技術】
【０００２】
従来、複写機やファクシミリ等の読み取り装置、コンピュータ入力用のスキャナ等として、原稿における表裏両面の画像情報をユーザの介在なしに自動的に読み取る画像読み取り装置(自動両面読み取り装置)が用いられている。これらの自動両面読み取り装置としては、原稿反転部にて原稿を表裏反転させて読み取る方法が最も広く採用されている。表裏反転させて画像情報を入力する際には、特定の原稿読み取り部で表面の画像を読み取った後、この原稿を表裏反転させて再びこの特定の原稿読み取り部に搬送し、裏面の画像を読み取る。
【０００３】
しかし、この表裏反転による両面自動読み取りでは、一旦、原稿を排出した後に反転させて再度原稿読み取り部に搬送する必要があることから、両面読み取りに際して多くの時間がかかり、両面読み取りの生産性が劣ってしまう。そこで、原稿を搬送する原稿パスの表裏両面に２つの画像読み取りユニットを設け、１回の原稿搬送にて原稿の表裏両面を自動的に読み取る、所謂両面同時読み取り技術が検討されている。そこで、例えば原稿を搬送する原稿パスの表裏両面側にそれぞれイメージセンサを設けることで、原稿を表裏反転させることなく、１回の原稿搬送にて原稿の両面を自動的に読み取ることを可能とした技術が存在する(例えば、特許文献１参照。)。
【０００４】
【特許文献１】特開２０００−２４４７１８号公報(第２−４頁、図１)
【発明の開示】
【発明が解決しようとする課題】
【０００５】
ところで、画像読み取り装置では、一般的に使用される白地の原稿だけでなく、例えば新聞や色紙等、様々な下地濃度を持った原稿が読み取り対象とされている。このような白地以外の原稿は、下地の濃度が高いため、原稿読み取り部で読み取った画像データをそのまま再現すると、下地が出て画質が低下してしまう。そこで、原稿を原稿読み取り部で予備読み取り(プリスキャン)して原稿の下地分を検出して画像パラメータを設定し、その後原稿を原稿読み取り部で本読み取り(メインスキャン)して得た画像データより、画像パラメータを用いて下地分を除去している。
【０００６】
しかしながら、上述した特許文献１記載の両面自動読み取り装置において、このような手法にて下地除去を行おうとする場合には、原稿の表側を読み取って得られた表面画像データおよび原稿の裏面を読み取って得られた裏面画像データの両者を、共に一旦メモリに格納しなければならない。このため、表裏両面の画像データを格納するために必要なメモリの容量が大きくなり、かかるコストが増加してしまう。なお、このような問題は、原稿の下地除去に限らず、原稿１ページ分の画像データに基づいて得られた画像パラメータを用いて画像処理を行う場合においても、同様に生じ得るものである。
【０００７】
本発明は、かかる技術的課題を解決するためになされたものであって、その目的とするところは、原稿の両面読み取りにおいて、原稿１ページ分の画像データを用いてこの画像データに対する画像処理を行うための画像パラメータを設定する場合に、必要なメモリ量を少なくすることにある。
また他の目的は、原稿の両面読み取りにおいて、原稿１ページ分の画像データを用いてこの画像データに対する画像処理を行うための画像パラメータを設定しない場合に、高速に画像読み取りを行うことにある。
【課題を解決するための手段】
【０００８】
かかる目的のもと、本発明が適用される画像読み取り装置は、原稿を給紙する給紙部と、給紙部より給紙された原稿が搬送される搬送路と、搬送路の一方の側から原稿の片面の画像を読み取る第１のセンサと、一方の側とは搬送路を介して対向する他方の側から原稿の片面の画像を読み取る第２のセンサと、第１のセンサにより画像が読み取られた原稿の表裏を反転させて搬送路に反転搬送するための反転搬送路とを備え、原稿１ページ分の画像データを用いて画像データに対する画像処理を行うための画像パラメータを設定する場合に、搬送路を搬送される原稿の片面を第１のセンサにて読み取り、反転搬送路を経由して搬送路に原稿を反転搬送してから原稿の他の片面を第１のセンサにて読み取る第１の両面読み取りモードと、原稿１ページ分の画像データを用いて画像データに対する画像処理を行うための画像パラメータを設定しない場合に、搬送路への原稿の一度の搬送で原稿における表裏両面の画像を第１のセンサおよび第２のセンサにて読み取る第２の両面読み取りモードとを有している。
【０００９】
ここで、第１のセンサまたは第２のセンサにて読み取られた画像データを格納するメモリをさらに備えることを特徴とすることができる。このメモリは、原稿２ページ分未満の画像データに対応する容量を有していることを特徴とすることができる。また、第１の両面読み取りモードでは、第１のセンサにて読み取られた片面の原稿１ページ分の画像データをメモリに格納すると共に片面の原稿１ページ分の画像データに基づいて画像処理パラメータを設定し、メモリから読み出した画像データに対し画像処理パラメータを用いた画像処理を施して出力し、反転搬送され第１のセンサにて読み取られた他の片面の原稿１ページ分の画像データをメモリに格納すると共に他の片面の原稿１ページ分の画像データに基づいて画像処理パラメータを設定し、メモリから読み出した画像データに対し画像処理パラメータを用いた画像処理を施して出力することを特徴とすることができる。さらに、第２の両面読み取りモードでは、第１のセンサにて読み取られた片面の原稿１ページ分の画像データを出力すると共に、第２のセンサにて読み取られた他の片面の原稿１ページ分の画像データをメモリに格納した後に出力することを特徴とすることができる。
【００１０】
また、他の観点から捉えると、本発明が適用される画像読み取り装置は、原稿を給紙する給紙部と、給紙部より給紙された原稿が搬送される搬送路と、搬送路の一方の側から原稿の片面の画像を読み取る第１のセンサと、一方の側とは搬送路を介して対向する他方の側から原稿の片面の画像を読み取る第２のセンサと、第１のセンサにより画像が読み取られた原稿の表裏を反転させて搬送路に反転搬送するための反転搬送路と、原稿の画像データを読み取る際あるいは原稿の画像データを読み取った後に施される処理の前処理を行う場合に、搬送路を搬送される原稿の片面を第１のセンサにて読み取らせた後、反転搬送路を経由して搬送路に原稿を反転搬送させ、原稿の他の片面を第１のセンサにて読み取らせる読み取り制御部とを有している。
ここで、前処理は、画像データから原稿の下地を除去するためのパラメータ設定であることを特徴とすることができる。
【００１１】
さらに、他の観点から捉えると、本発明が適用される画像読み取り装置は、原稿における第１面の画像データを第１の読み取り手段で読み取り、原稿における第２面の画像データを第２の読み取り手段で読み取り、第２の読み取り手段にて読み取られた第２面の画像データを格納手段に格納し、第１の読み取り手段で読み取られた第１面の画像データが出力された後に、格納手段に格納される第２面の画像データを出力手段で出力し、第１の読み取り手段にて読み取られた第１面の画像データに基づいて第１面の画像データに対する画像処理を行うための画像パラメータを設定する際、格納手段に転送手段で第１面の画像データを転送する。
【００１２】
ここで、転送手段は、得られた画像パラメータに基づいて画像処理を行う際、格納手段に格納される第１面の画像データを読み出すことを特徴とすることができる。また、画像パラメータを設定する場合には、原稿の読み取りに第１の読み取り手段のみを使用することを特徴とすることができる
【発明の効果】
【００１３】
本発明によれば、原稿の両面読み取りにおいて、原稿１ページ分の画像データを用いてこの画像データに対する画像処理を行うための画像パラメータを設定する場合に、必要なメモリ量を少なくすることができる。
【発明を実施するための最良の形態】
【００１４】
以下、添付図面を参照して、本発明を実施するための最良の形態(以下、実施の形態という)について詳細に説明する。
図１は本実施の形態が適用される画像読み取り装置を示した図である。この画像読み取り装置は、積載された原稿束から原稿を順次搬送する原稿送り装置１０、スキャンによって画像を読み込むスキャナ装置７０、および読み込まれた画像信号を処理する処理装置８０に大別される。
【００１５】
原稿送り装置１０は、給紙部の構成要素の一例として、複数枚の原稿からなる原稿束を積載する原稿トレイ１１、原稿トレイ１１を上昇および下降させるトレイリフタ１２を備えている。また、トレイリフタ１２により上昇された原稿トレイ１１の原稿を搬送するナジャーロール１３、ナジャーロール１３により搬送された原稿をさらに下流側まで搬送するフィードロール１４、ナジャーロール１３により供給される原稿を１枚ずつに捌くリタードロール１５を備えている。最初に原稿が搬送される第１搬送路３１には、１枚ずつに捌かれた原稿を下流側のロールまで搬送するテイクアウェイロール１６、原稿をさらに下流側のロールまで搬送すると共にループ形成を行うプレレジロール１７、一旦、停止した後にタイミングを合わせて回転を再開し、原稿読み取り部に対してレジストレーション調整を施しながら原稿を供給するレジロール１８、読み込み中の原稿搬送をアシストするプラテンロール１９、読み込まれた原稿をさらに下流側に搬送するアウトロール２０を備えている。また、第１搬送路３１には、搬送される原稿のループ状態に応じて支点を中心として回動するバッフル４１を備えている。さらに、プラテンロール１９とアウトロール２０との間には、本実施の形態における第２の読み取り手段であるＣＩＳ(Contact Image Sensor)５０が備えられている。
【００１６】
アウトロール２０の下流側には、第２搬送路３２および第３搬送路３３が設けられ、これらの搬送路を切り替える搬送路切替ゲート４２、読み込みが終了した原稿を積載させる排出トレイ４０、排出トレイ４０に対して原稿を排出させる第１排出ロール２１が設けられている。また、第３搬送路３３を経由した原稿をスイッチバックさせる第４搬送路３４、第４搬送路３４に設けられ、実際に原稿のスイッチバックを行うインバータロール２２およびインバータピンチロール２３、第４搬送路３４によってスイッチバックされた原稿を再度、プレレジロール１７等を備える第１搬送路３１に導く第５搬送路３５、第４搬送路３４によってスイッチバックされた原稿を排出トレイ４０に排出するための第６搬送路３６、第６搬送路３６に設けられ、反転排出される原稿を第１排出ロール２１まで搬送する第２排出ロール２４、第５搬送路３５および第６搬送路３６の搬送経路を切り替える出口切替ゲート４３を備えている。
【００１７】
ナジャーロール１３は、待機時にはリフトアップされて退避位置に保持され、原稿搬送時にニップ位置(原稿搬送位置)へ降下して原稿トレイ１１上の最上位の原稿を搬送する。ナジャーロール１３およびフィードロール１４は、フィードクラッチ(図示せず)の連結によって原稿の搬送を行う。プレレジロール１７は、停止しているレジロール１８に原稿先端を突き当ててループを作成する。レジロール１８では、ループ作成時に、レジロール１８に噛み込んだ原稿先端をニップ位置まで戻している。このループが形成されると、バッフル４１は支点を中心として開き、原稿のループを妨げることのないように機能している。また、テイクアウェイロール１６およびプレレジロール１７は、読み込み中におけるループを保持している。このループ形成によって、読み込みタイミングの調整が図られ、また、読み込み時における原稿搬送に伴うスキューを抑制して、位置合わせの調整機能を高めることができる。読み込みの開始タイミングに合わせて、停止されていたレジロール１８が回転を開始し、プラテンロール１９によって、第２プラテンガラス７２Ｂ(後述)に押圧されて、ＣＣＤイメージセンサ(後述)によって下面方向から画像データが読み込まれる。
【００１８】
搬送路切替ゲート４２は、片面原稿の読み取り終了時、および両面原稿の両面同時読み取りの終了時に、アウトロール２０を経由した原稿を第２搬送路３２に導き、排出トレイ４０に排出するように切り替えられる。一方、この搬送路切替ゲート４２は、両面原稿の順次読み取り時には、原稿を反転させるために、第３搬送路３３に原稿を導くように切り替えられる。インバータピンチロール２３は、両面原稿の順次読み取り時に、フィードクラッチ(図示せず)がオフの状態でリトラクトされてニップが開放され、原稿をインバータパス(第４搬送路３４)へ導いている。その後、このインバータピンチロール２３はニップされ、インバータロール２２によってインバートする原稿をプレレジロール１７へ導き、また、反転排出する原稿を第６搬送路３６の第２排出ロール２４まで搬送している。
【００１９】
第２の読み取り手段としてのスキャナ装置７０は、上述した原稿送り装置１０を載置可能に構成されると共に、この原稿送り装置１０を装置フレーム７１によって支え、また、原稿送り装置１０によって搬送された原稿の画像読み取りを行っている。このスキャナ装置７０は、筐体を形成する装置フレーム７１に、画像を読み込むべき原稿を静止させた状態で載置する第１プラテンガラス７２Ａ、原稿送り装置１０によって搬送中の原稿を読み取るための光の開口部を形成する第２プラテンガラス７２Ｂが設けられている。
【００２０】
また、スキャナ装置７０は、第２プラテンガラス７２Ｂの下に静止し、第１プラテンガラス７２Ａの全体に亘ってスキャンして画像を読み込むフルレートキャリッジ７３、フルレートキャリッジ７３から得られた光を像結合部へ提供するハーフレートキャリッジ７５を備えている。フルレートキャリッジ７３には、原稿に光を照射する照明ランプ７４、原稿から得られた反射光を受光する第１ミラー７６Ａが備えられている。更に、ハーフレートキャリッジ７５には、第１ミラー７６Ａから得られた光を結像部へ提供する第２ミラー７６Ｂおよび第３ミラー７６Ｃが備えられている。更に、スキャナ装置７０は、第３ミラー７６Ｃから得られた光学像を光学的に縮小する結像用レンズ７７、結像用レンズ７７によって結像された光学像を光電変換する第１のセンサとしてのＣＣＤ(Charge Coupled Device)イメージセンサ７８、ＣＣＤイメージセンサ７８を備える駆動基板７９を備え、ＣＣＤイメージセンサ７８によって得られた画像信号は駆動基板７９を介して処理装置８０に送られる。
【００２１】
ここで、まず、第１プラテンガラス７２Ａに載置された原稿の画像を読み取る場合には、フルレートキャリッジ７３とハーフレートキャリッジ７５とが、２：１の割合でスキャン方向(矢印方向)に移動する。このとき、フルレートキャリッジ７３の照明ランプ７４の光が原稿の被読み取り面に照射されると共に、その原稿からの反射光が第１ミラー７６Ａ、第２ミラー７６Ｂ、および第３ミラー７６Ｃの順に反射されて結像用レンズ７７に導かれる。結像用レンズ７７に導かれた光は、ＣＣＤイメージセンサ７８の受光面に結像される。ＣＣＤイメージセンサ７８は１次元のセンサであり、１ライン分を同時に処理している。このライン方向(スキャンの主走査方向)の１ラインの読み取りが終了すると、主走査方向とは直交する方向(副走査方向)にフルレートキャリッジ７３を移動させ、原稿の次のラインを読み取る。これを原稿サイズ全体に亘って実行することで、１ページの原稿読み取りを完了させる。
【００２２】
一方、第２プラテンガラス７２Ｂは、例えば長尺の板状構造をなす透明なガラスプレートで構成される。原稿送り装置１０によって搬送される原稿がこの第２プラテンガラス７２Ｂの上を通過する。このとき、フルレートキャリッジ７３とハーフレートキャリッジ７５とは、図１に示す実線の位置に停止した状態にある。まず、原稿送り装置１０のプラテンロール１９を経た原稿の１ライン目の反射光が、第１ミラー７６Ａ、第２ミラー７６Ｂ、および第３ミラー７６Ｃを経て結像用レンズ７７にて結像され、本実施の形態における第１のセンサであるＣＣＤイメージセンサ７８によって画像が読み込まれる。即ち、１次元のセンサであるＣＣＤイメージセンサ７８によって主走査方向の１ライン分を同時に処理した後、原稿送り装置１０によって搬送される原稿の次の主走査方向の１ラインが読み込まれる。原稿の先端が第２プラテンガラス７２Ｂの読み取り位置に到達した後、原稿が第２プラテンガラス７２Ｂの読み取り位置を通過することによって、副走査方向に亘って１ページの読み取りが完了する。
【００２３】
本実施の形態では、フルレートキャリッジ７３とハーフレートキャリッジ７５とを停止させ、第２プラテンガラス７２ＢにてＣＣＤイメージセンサ７８により原稿の第１面の読み取りを行う原稿の搬送時に、同時(時間の完全一致ではなく、同一の原稿搬送時程度の意味) に第２の読み取り手段であるＣＩＳ５０によって、原稿の第２面の読み取りを行うことが可能である。即ち、第１の読み取り手段であるＣＣＤイメージセンサ７８と第２の読み取り手段であるＣＩＳ５０とを用いて、搬送路への原稿の一度の搬送で、この原稿における表裏両面の画像を同時に読み取ることを可能としている。
【００２４】
図２は、ＣＩＳ５０を用いた読み取り構造を説明するための図である。図２に示すように、ＣＩＳ５０は、プラテンロール１９とアウトロール２０との間に設けられる。原稿の片面(第１面、表面)は、第２プラテンガラス７２Ｂに押し当てられ、この第１面の画像はＣＣＤイメージセンサ７８にて読み込まれる。一方、ＣＩＳ５０では、原稿を搬送する搬送路を介して対向する他方の側から、片面(第２面、裏面)の画像が読み込まれる。このＣＩＳ５０は、ガラス５１と、このガラス５１を透過して原稿の第２面に光を照射するＬＥＤ(Light Emitting Diode)５２と、ＬＥＤ５２からの反射光を集光するレンズアレイであるセルフォックレンズ５３と、このセルフォックレンズ５３により集光された光を読み取る第２のセンサとしてのラインセンサ５４とを備えている。ラインセンサ５４としては、ＣＣＤやＣＭＯＳセンサ、密着型センサ等を用いることができ、実寸幅(例えばＡ４長手幅２９７ｍｍ)の画像を読み取ることが可能である。ＣＩＳ５０では、縮小光学系を用いずに、セルフォックレンズ５３とラインセンサ５４を用いて画像の取り込みを行うことから、構造をシンプルにすることができ、且つ、筐体を小型化し、消費電力を低減することができる。第１面の画像の読み込みと同様に、１次元のラインセンサ５４によって主走査方向の１ライン分を同時に処理した後、搬送される原稿における次の主走査方向の１ラインが読み込まれる。このようにして、搬送される原稿の裏面について、副走査方向に亘って１ページの読み取りを行う。
【００２５】
また、ＣＩＳ５０による画像読み取りに際して、この読み取り部を構成する搬送路に、ＣＩＳ５０の筐体から延びる制御部材５５、制御部材５５によって押し付けられた原稿を突き当てる突き当て部材６０を備えている。また、この突き当て部材６０の下流側にはガイド部材６１が設けられている。制御部材５５および突き当て部材６０は、原稿の搬送路に直交する方向に(即ち、原稿送り装置１０の前面から後面の方向に)、原稿送り装置１０の前面から後面まで、搬送路の位置に対応して設けられている。
【００２６】
更に、ＣＩＳ５０は、光学結像レンズにセルフォックレンズ５３を採用していることから、焦点(被写界)深度が±０.３ｍｍ程度と浅く、スキャナ装置７０を用いた場合に比べて約１/１３以下の深度となっている。ＣＩＳ５０による読み取りに際しては、原稿の読み取り位置を所定の狭い範囲内に定めることが要求される。そこで、本実施の形態では、制御部材５５を設け、原稿を制御部材５５によって突き当て部材６０に押し当てて搬送し、プラテンロール１９とアウトロール２０との間にある原稿の姿勢を安定的に制御できるように構成した。図２の二点鎖線矢印は、制御部材５５を設けた場合の原稿の動きを示したものである。搬送される原稿が突き当て部材６０に押し当てられながら搬送されることが理解できる。即ち、制御部材５５によって搬送される原稿を突き当て部材６０に押し当てられた状態にて読み取ることで、被写界深度の浅いＣＩＳ５０を用いた場合のピントの甘さを改善している。
【００２７】
次に、図１に示す処理装置８０について説明する。
図３は、読み取り制御部としての処理装置８０を説明するためのブロック図である。本実施の形態が適用される処理装置８０は、大きく、センサ(ＣＣＤイメージセンサ７８およびラインセンサ５４)から得られた画像情報を処理する信号処理部８１と、原稿送り装置１０およびスキャナ装置７０を制御する制御部９０とを備えている。信号処理部８１は、原稿の表面(第１面)を読み取るＣＣＤイメージセンサ７８および原稿の裏面(第２面)を読み取るＣＩＳ５０のラインセンサ５４からの各々の出力に対して所定の画像処理を施している。この信号処理部８１は、ラインセンサ５４からの出力に対してアナログ信号の処理を行うＡＦＥ(Analog Front End)８２、アナログ信号をディジタル信号に変換するＡＤＣ(Analog to Digital Converter)８３を有している。但し、これらの機能は、ＣＩＳ５０の内部にて処理されるように構成することもできる。また、信号処理部８１は、ディジタル信号に対してシェーディング補正やオフセット補正等の各種処理を施す画像処理回路が２系統備えられており、表面(第１面)の画像データに対して画像処理を施す第１画像処理回路１００、裏面(第２面)の画像データに対して画像処理を施す第２画像処理回路２００を備えている。これらの画像処理回路からの出力は、例えばプリンタ等のＩＯＴ(Image Output Terminal)や、パーソナルコンピュータ(ＰＣ)等のホストシステムへ出力される。
【００２８】
一方、制御部９０は、各種両面読み取りの制御や片面読み取りの制御等を含め、原稿送り装置１０およびスキャナ装置７０の全体を制御する画像読み取りコントロール９１、ＣＣＤイメージセンサ７８およびＣＩＳ５０を制御するＣＣＤ/ＣＩＳコントロール９２、読み取りタイミングに合わせてＣＩＳ５０のＬＥＤ５２やフルレートキャリッジ７３の照明ランプ７４を制御するランプコントロール９３、スキャナ装置７０におけるモータのオン/オフなどを行いフルレートキャリッジ７３とハーフレートキャリッジ７５とのスキャン動作を制御するスキャンコントロール９４、原稿送り装置１０におけるモータの制御、各種ロールの動作やフィードクラッチの動作、ゲートの切り替え動作等を制御する搬送機構コントロール９５を備えている。これらの各種コントロールからは、原稿送り装置１０およびスキャナ装置７０に対して制御信号が出力され、かかる制御信号に基づいて、これらの動作制御が可能となる。画像読み取りコントロール９１は、ホストシステムからの制御信号や、例えば自動選択読み取り機能に際して検出されるセンサ出力、ユーザからの選択等に基づいて、読み取りモードを設定し、原稿送り装置１０およびスキャナ装置７０を制御している。読み取りモードとしては、前述のような、１パス(反転なし)による両面同時読み取りモード、反転パスによる反転両面読み取りモード、１パスによる片面読み取りモード等が考えられる。
【００２９】
次に、各画像処理回路(第１画像処理回路１００および第２画像処理回路２００)の機能および動作について説明する。
図４は、信号処理部８１の構成をさらに詳述したブロック図である。第１画像処理回路１００は、全体の制御を行う第１ＣＰＵ１０１、ＣＣＤイメージセンサ７８から出力された表面画像データに対してサンプルホールドやオフセット調整、Ａ/Ｄ変換等を行うＡＦＥ/ＡＤＣ１０２、また、表裏の画像データを選択して出力するための出力手段としての第１セレクタ(第１ＳＥＬ)１０３を備えている。さらに、シェーディング補正やライン間補正(ＲＧＢの位置ずれ補間)を実行するＡ集積回路(ＡＳＩＣ-Ａ)１１０、ＭＴＦフィルタや縮拡処理、２値化処理等を実行するＢ集積回路(ＡＳＩＣ-Ｂ)１３０を備えている。
【００３０】
一方、第２画像処理回路２００は、全体の制御を行う第２ＣＰＵ２０１、ＣＩＳ５０から得られた裏面画像データに対して各種画像処理を施すＣ集積回路(ＡＳＩＣ-Ｃ)２１０、表裏の画像データを選択して出力するための転送手段としての第２セレクタ(第２ＳＥＬ)２０２、画像処理が施された画像データを一旦保持(格納)し、所定の出力タイミングに合わせて第１セレクタ１０３に出力するための格納手段としてのメモリ２０３を備えている。なお、本実施の形態では、メモリ２０３が、この画像読み取り装置で読み取り可能な最大サイズの原稿１ページ分(且つ２ページ分未満)の画像データに対応する容量を有している。
【００３１】
図５は、Ａ集積回路(ＡＳＩＣ-Ａ)１１０の構成を示したブロック図である。Ａ集積回路１１０は、ＣＣＤイメージセンサ７８におけるシェーディングデータを補正するためのシェーディング補正部１１１、ＲＧＢ３色のラインセンサの位置を補正するためのＧＡＰ補正部１１２、黒線を補正する黒線補正部１１３、入力階調を補正するＥＮＬ１１５、ＢＧＲ→Ｌ*ａ*ｂ*に変換する色空間変換部１１６、読み取り原稿の下地を検知して下地除去用の画像パラメータを生成する下地検知部１１７を備えている。さらに、ＣＣＤイメージセンサ７８およびＡＦＥ/ＡＤＣ１０２の駆動クロックを生成するタイミング生成部(Timing生成)１１９、第１ＣＰＵ１０１との通信を行うＣＰＵインタフェース(ＣＰＵ ＩＦ)１２０を備えている。
【００３２】
図６は、Ｂ集積回路(ＡＳＩＣ-Ｂ)１３０の構成を示したブロック図である。Ｂ集積回路１３０は、ＭＴＦ補正や平滑化を行うデジタルフィルタ部１３１、原稿搬送方向である副走査方向に対して縮小処理を施す副走査縮小部１３２、原稿搬送方向に直交する方向であってＣＣＤイメージセンサ７８の走査方向である主走査方向に対する拡大縮小処理を施す主走査拡大縮小部１３３、下地検知部１１７による下地検知結果に基づいて読み取り原稿の下地を除去する下地除去部１３５、Ｌ*ａ*ｂ*→ＹＭＣＫに色空間変換するルックアップテーブル(ＬＵＴ)１３６を備えている。また、第１ＣＰＵ１０１との通信を行うＣＰＵインタフェース(ＣＰＵ ＩＦ)１４０を備えている。
【００３３】
図７は、Ｃ集積回路(ＡＳＩＣ-Ｃ)２１０の構成を示したブロック図である。Ｃ集積回路２１０は、Ｏｄｄ/Ｅｖｅｎからなる２チャンネルの出力信号の合成(Ｏ/Ｅ合成)を行うマルチプレックス(ＭＰＸ)回路２１１、シェーディングメモリ２２１に格納されたシェーディングデータに基づいてシェーディング補正を施すシェーディング補正部２１２、入力階調を補正するＬ*変換部(ＬＵＴ)２１３、副走査方向に対して縮小処理を施す副走査縮小部２１４、主走査方向に対する拡大縮小処理を施す主走査拡大縮小部２１５、ＭＴＦ補正や平滑化を行うフィルタ部２１６、下地検知部２２２による下地検知結果に基づいて下地除去を行う下地除去部２１７、出力階調補正を行うルックアップテーブル(ＬＵＴ)２１８、２値化を行う誤差拡散処理部(Ｐａｃｋｉｎｇ誤差拡散)２１９を備えている。また、第２ＣＰＵ２０１と通信を行うＣＰＵインタフェース２２３を備えている。
【００３４】
ここで、本実施の形態では、原稿送り装置１０による原稿搬送によって画像を読み取る際、第２プラテンガラス７２Ｂを介してプラテンロール１９に搬送される原稿をスキャナ装置７０(ＣＣＤイメージセンサ７８)を用いて読み取ることが可能であると共に、原稿送り装置１０に設けられたＣＩＳ５０を用いて読み取ることが可能である。しかしながら、前述のように、スキャナ装置７０の機構を用いたＣＣＤイメージセンサ７８による読み取りと、ＣＩＳ５０のセルフォックレンズ５３を用いた読み取りとでは、その焦点深度が異なり、解像特性に差が生じてしまう。特に写真等のカラー画像や高精度のモノクロ画像を読み込む場合には、両者の読み込みにて色合わせあるいは濃度合わせが困難となり、両者の読み込みにて得られる画質が異なってしまう。そこで、本実施の形態では、複数の読み取りモードを準備し、装置の設定状態、原稿の種類、ユーザの選択等に基づいて、最適な読み取りモードの選択を可能としている。
【００３５】
図８は、図３に示す画像読み取りコントロール９１によって実行される処理の一例を示したフローチャートである。画像読み取りコントロール９１では、まず、コピー(Copy)、ファクシミリ(Fax)、スキャナ(Scan)のいずれの機能が選択されたかが判断される(ステップ１０１)。この判断は、例えばスキャナ装置７０上に設けられたコントロールパネル(図示せず)を用いたユーザの選択によって認識される。
【００３６】
次に、画像読み取りコントロール９１では、搬送される原稿が両面原稿であるか片面原稿であるかが判断される(ステップ１０２)。この判断は、例えばスキャナ装置７０上に設けられたコントロールパネル(図示せず)を用いたユーザの選択や、例えば自動選択読み取り機能が働いている場合には、画像読み込み前の第１搬送路３１上の搬送路両側に設けられたセンサ(図示せず)等によって認識することができる。また、ホストシステムからの要請や、ネットワーク等を介したユーザからの選択等も考えられる。このステップ１０２で片面原稿であると判断される場合には、１パス(反転パスを用いない１回だけの原稿搬送パス)による片面読み取りが行われる(ステップ１０３)。この１パスによる片面読み取りでは、ＣＣＤイメージセンサ７８による読み取りとＣＩＳ５０による読み取りとのどちらを選択してもよいが、より高画質な画像読み取りを実現する場合には、ＣＣＤイメージセンサ７８による読み取りを選択することが好ましい。かかる際には、上向きに片面の原稿部分が存在すると共に原稿の１ページ目が上となるように載置することで、この１ページ目から原稿の搬送および読み取りが順に行われる。
【００３７】
また、ステップ１０２で片面原稿ではない場合、すなわち、両面原稿であると判断される場合には、次に、搬送される原稿がカラー原稿であるか白黒原稿であるかが判断される(ステップ１０４)。この判断は、例えばスキャナ装置７０上に設けられたコントロールパネル(図示せず)を用いたユーザの選択によって認識される。カラー原稿であってもユーザが白黒読み取りを望む場合もあり、カラー原稿をユーザが白黒原稿と指定することも可能である。ここで、カラー読み取りを行う場合には、２パス(反転パス)による両面読み取りが行われる(ステップ１０５)。すなわち、ＣＩＳ５０による読み取りを行わず、原稿の表面および裏面を共にＣＣＤイメージセンサ７８によって読み取るのである。これによって、カラー原稿の表面および裏面に対し、共に、焦点深度の深い読み取り手段を用いた高画質な両面読み取りが可能となる。
【００３８】
一方、ステップ１０４でカラー読み取りを行わない場合、すなわち、白黒読み取りを行う場合には、次に、白黒原稿の読み取りに対する要求が高画質であるか高生産性であるかが判断される(ステップ１０６)。この判断は、例えばスキャナ装置７０上に設けられたコントロールパネル(図示せず)を用いたユーザの選択によって認識される。ここで、高画質が要求される場合には、カラー原稿の両面読み取りを行う場合と同様に、２パス(反転パス)による両面読み取りが行われる(ステップ１０５)。すなわち、ＣＩＳ５０による読み取りを行わず、原稿の表面および裏面を共にＣＣＤイメージセンサ７８によって読み取るのである。これによって、白黒原稿の表面および裏面に対し、共に、焦点深度の深い読み取り手段を用いた高画質な両面読み取りが可能となる。
【００３９】
また、ステップ１０６で高画質が要求されない場合、すなわち、高生産性が要求される場合には、反転パスを用いない、１パスによる両面同時読み取りが行われる(ステップ１０７)。すなわち、ＣＣＤイメージセンサ７８によって原稿の表面の読み取りが行われ、この読み取りの搬送パスに際して、同じ搬送パスにてＣＩＳ５０による原稿の裏面の読み取りが行われる。これによって、同一の読み取り部へ原稿を二度搬送する必要がなくなり、原稿読み取り速度を向上させることができると共に、搬送パスが簡素化されることで、原稿詰まり(ＪＡＭ)等の原稿搬送トラブルを抑制することができる。なお、前述したように、「同時読み取り」とは、必ずしも時間的に一致するという場合を意味するものではなく、原稿の両面を１回のパスにて略同時期に読み取るという意味である。
【００４０】
ここで、図９(ａ)〜(ｄ)は、上述した各ステップにおいてコントロールパネル(図示せず)に表示されるユーザインタフェース(ＵＩ)の一例を示している。図９(ａ)は、ステップ１０１においてユーザによる機能選択を受け付けるための画面を示している。また、図９(ｂ)は、ステップ１０２においてユーザによる両面原稿/片面原稿の選択を受け付けるための画面を示している。なお、図９(ｂ)の画面は、図９(ａ)に示す「Ｃｏｐｙ」、「Ｆａｘ」、「Ｓｃａｎ」のうち、「Ｃｏｐｙ」が選択された場合に表示されるものである。さらに、図９(ｃ)は、ステップ１０４においてユーザによるカラー/白黒の選択を受け付けるための画面を示している。さらにまた、図９(ｄ)は、ステップ１０６においてユーザによる高画質/高生産性の選択を受け付けるための画面を示している。なお、図９(ｄ)の画面は、図９(ｃ)に示す「カラー」、「白黒」のうち、「白黒」が選択された場合に表示されるものである。
このように、本実施の形態では、コピー、ファクシミリ、スキャンのすべてにおいて、高画質または高生産性を選択することができる。
【００４１】
次に、各原稿読み取りモードにおける原稿の搬送方法について、図１０および図１１を用いて説明する。
図１０(ａ),(ｂ)は図８のステップ１０３に示した１パスによる片面読み取りモードおよびステップ１０７に示した１パスによる両面同時読み取りモードにおける原稿パスを示した図である。図１０(ａ)に示すように、原稿トレイ１１に載置された原稿は、ナジャーロール１３、フィードロール１４およびリタードロール１５、テイクアウェイロール１６によって、第１搬送路３１に順次供給される。供給された原稿は、図１０(ｂ)に示すように、プラテンロール１９の読み取り部およびＣＩＳ５０の読み取り部を経由して、搬送路切替ゲート４２によって第２搬送路３２に移動し、排出トレイ４０に順次排出される。ここで、片面読み取りの場合には、プラテンロール１９の箇所にて、下方から、図１に示すスキャナ装置７０のＣＣＤイメージセンサ７８を用いた読み取りがなされる。また、両面同時読み取りの場合には、スキャナ装置７０のＣＣＤイメージセンサ７８を用いて原稿の表面を読み取り、同一搬送時にＣＩＳ５０を用いて原稿の裏面を読み取る。これによって、１回の原稿パスによって両面の原稿読み取りを行うことが可能となる。
【００４２】
図１１(ａ)〜(ｄ)は図８のステップ１０５に示した２パスによる両面読み取りモードにおける原稿パスを示した図である。図１１(ａ)に示すように、原稿トレイ１１に載置された原稿は、第１搬送路３１に順次供給され、図１に示すスキャナ装置７０のＣＣＤイメージセンサ７８を用いて、プラテンロール１９の箇所にて下方から原稿の表面の読み取りがなされる。そして、搬送路切替ゲート４２によって第３搬送路３３を経由し、第４搬送路３４へと移動する。第３搬送路３３を完全に抜けた原稿は、図１１(ｂ)に示すように、インバータロール２２およびインバータピンチロール２３によってスイッチバックし、第５搬送路３５に供給される。
【００４３】
第５搬送路３５に供給された原稿は、再度、第１搬送路３１に供給される。そして、図１１(ｃ)に示すように、原稿がスキャナ装置７０のＣＣＤイメージセンサ７８によって下方から読み取られる。このとき、原稿は、図１１(ａ)に示す場合とは表裏が反転した状態にあり、原稿の表面ではなく裏面が読み取られることとなる。裏面が読み取られた原稿は、表裏が反転された状態にあり、そのまま排出トレイ４０に排出すると積載された読み取り後の原稿のページ順が狂うことになる。そこで、図１１(ｃ)に示すように、裏面の読み取りが完了した原稿を搬送路切替ゲート４２を用いて第３搬送路３３を経由させ、第４搬送路３４に移動させる。第４搬送路３４に供給され、出口切替ゲート４３を完全に通過した原稿は、図１１(ｄ)に示すように出口切替ゲート４３によって第６搬送路３６を経由し排出トレイ４０に排出される。これによって、原稿における表裏両面の画像を順次読み取る両面読み取りモードにおいて、読み取り後の原稿のページ順を揃えることが可能となる。
【００４４】
ところで、本実施の形態に係る画像読み取り装置では、Ａ集積回路１１０に設けられた下地検知部１１７およびＢ集積回路１３０に設けられた下地除去部１３５を用いて、ＣＣＤイメージセンサ７８で読み取られた画像データから原稿の下地成分の検知、除去を行っている。また、Ｃ集積回路２１０に設けられた下地検知部２２２および下地除去部２１７を用いて、ＣＩＳ５０で読み取られた画像データから原稿の下地成分の検知、除去を行っている。この画像読み取り装置では、通常は、原稿の読み取り動作時に、原稿の搬送方向先端部(画像が形成されていない余白部分)を読み取って得られた画像データに基づいて原稿の下地濃度を決定し、読み取られた画像データよりこの下地濃度分を差し引くことで下地除去を行っている(以下、このような下地除去プロセスを先端下地除去モードと呼ぶ)。ただし、より正確な下地除去を行いたい場合には、原稿の搬送方向先端部だけでなく、原稿の全面を読み取って得られた画像データに基づいて原稿の下地濃度を決定し、読み取られた画像データよりこの下地濃度分を差し引くことで下地除去を行うことが好ましい(以下、このような下地除去プロセスを全面下地除去モードと呼ぶ)。
【００４５】
そこで、本実施の形態では、通常は先端下地除去モードによって原稿の下地除去を行うが、ユーザからの指示を受け付けた場合には、全面下地除去モードによって原稿の下地除去を行うことが可能となっている。
図１２は、図３に示す画像読み取りコントロール９１によって実行される、下地除去モードの選択を加味した処理の一例を示すフローチャートである。画像読み取りコントロール９１では、まず、コピー(Copy)、ファクシミリ(Fax)、スキャナ(Scan)のいずれの機能が選択されたかが判断される(ステップ２０１)。次に、画像読み取りコントロール９１では、搬送される原稿が両面原稿であるか片面原稿であるかが判断される(ステップ２０２)。このステップ２０２で片面原稿であると判断される場合には、１パス(反転パスを用いない１回だけの原稿搬送パス)による片面読み取りが行われる(ステップ２０３)。
【００４６】
また、ステップ２０２で片面原稿ではない場合、すなわち、両面原稿であると判断される場合には、次に、搬送される原稿がカラー原稿であるか白黒原稿であるかが判断される(ステップ２０４)。ここで、カラー読み取りを行う場合には、２パス(反転パス)による両面読み取りＡが行われる(ステップ２０５)。すなわち、ＣＩＳ５０による読み取りを行わず、原稿の表面および裏面を共にＣＣＤイメージセンサ７８によって読み取る。
【００４７】
一方、ステップ２０４でカラー読み取りを行わない場合、すなわち、白黒読み取りを行う場合には、次に、原稿の下地除去を先端下地除去モード(先端)で行うか全面下地除去モード(全面)で行うかが判断される(ステップ２０６)。この判断は、例えばスキャナ装置７０上に設けられたコントロールパネル(図示せず)を用いたユーザの選択によって認識される。ここで、全面下地除去モードが選択される場合には、２パス(反転パス)による両面読み取りＢが行われる(ステップ２０７)。なお、この両面読み取りＢは、ステップ２０５における両面読み取りＡとは異なる。その詳細については後述する。
また、ステップ２０６で全面下地除去モードが選択されない場合、すなわち、先端下地除去モードが選択される場合には、反転パスを用いない、１パスによる両面同時読み取りが行われる(ステップ２０８)。すなわち、ＣＣＤイメージセンサ７８によって原稿の表面の読み取りが行われ、この読み取りの搬送パスに際して、同じ搬送パスにてＣＩＳ５０による原稿の裏面の読み取りが行われる。
【００４８】
図１３は、上述したステップ２０５、すなわち、２パスによる両面読み取りＡにおける処理の流れを示すフローチャートである。この処理では、まず原稿が搬送される(ステップ３０１)。次に、ＣＣＤイメージセンサ７８によって原稿の一方の面(表面)画像が読み取られ、Ａ集積回路１１０およびＢ集積回路１３０による画像処理が施され(ステップ３０２)、画像処理後の表面画像データが出力される(ステップ３０３)。
また、表面画像が読み取られた原稿は反転されて搬送される(ステップ３０４)。次に、ＣＣＤイメージセンサ７８によって原稿の他方の面(裏面)画像が読み取られ、Ａ集積回路１１０およびＢ集積回路１３０による画像処理が施され(ステップ３０５)、画像処理後の裏面画像データが出力される(ステップ３０６)。なお、２パスによる両面読み取りＡでは、ステップ３０２およびステップ３０５において、先端下地除去が行われる。
【００４９】
また、図１４は、上述したステップ２０８、すなわち、１パスによる両面読み取り(第２の両面読み取りモード)における処理の流れを示すフローチャートである。この処理では、まず、第２ＳＥＬ２０２でＣ集積回路２１０側が選択される(ステップ４０１)。次いで、原稿が搬送される(ステップ４０２)。次に、ＣＣＤイメージセンサ７８によって原稿の一方の面(表面)画像が読み取られ、Ａ集積回路１１０およびＢ集積回路１３０による画像処理が施される(ステップ４０３)。そして、第１ＳＥＬ１０３でＢ集積回路１３０側が選択され(ステップ４０４)、画像処理後の表面画像データが出力される(ステップ４０５)。
【００５０】
一方、上述したステップ４０３からわずかに遅れたタイミングで、ＣＩＳ５０によって原稿の他方の面(裏面)画像が読み取られ、Ｃ集積回路２１０による画像処理が行われ(ステップ４０６)、得られた裏面画像データはメモリ２０３に格納される(ステップ４０７)。次に、上述したステップ４０５における表面画像データの出力が終了した後のタイミングで、第１ＳＥＬ１０３でメモリ２０３側が選択され(ステップ４０８)、メモリ２０３に格納された画像処理後の裏面画像データが出力される(ステップ４０９)。なお、この一連の処理においては、ステップ４０３〜ステップ４０５と、ステップ４０６〜ステップ４０８とが、略並行して行われる。
【００５１】
さらに、図１５は、上述したステップ２０７、すなわち、２パスによる両面読み取りＢ(第１の両面読み取りモード)における処理の流れを示すフローチャートである。この処理では、まず、第２ＳＥＬ２０２でＡ集積回路１１０側が選択される(ステップ５０１)。次いで、原稿が搬送される(ステップ５０２)。次に、ＣＣＤイメージセンサ７８によって原稿の一方の面(表面)画像が読み取られ、Ａ集積回路１１０による画像処理が施され(ステップ５０３)、Ａ集積回路１１０で画像処理された表面画像データはメモリ２０３に格納される(ステップ５０４)。また、Ａ集積回路１１０では、読み取られた全面の表面画像データに基づき、下地検知部１１７において下地除去用の画像パラメータが検知(前処理)され、得られた下地除去用の画像パラメータをＢ集積回路１３０の下地除去部１３５に設定する(ステップ５０５)。そして、メモリ２０３に格納されていた表面画像データを読み出し、Ｂ集積回路１３０において画像処理が行われ(ステップ５０６)、画像処理後の表面画像データが出力される(ステップ５０７)。なお、ステップ５０６において、下地除去部１３５では、設定された下地除去用の画像パラメータに基づいて下地除去(処理)が行われる。
【００５２】
また、表面画像が読み取られた原稿は反転されて搬送される(ステップ５０８)。次に、ＣＣＤイメージセンサ７８によって原稿の他方の面(裏面)画像が読み取られ、Ａ集積回路１１０による画像処理が施され(ステップ５０９)、Ａ集積回路１１０で画像処理された裏面画像データはメモリ２０３に格納される(ステップ５１０)。また、Ａ集積回路１１０では、読み取られた全面の裏面画像データに基づき、下地検知部１１７において下地除去用の画像パラメータが検知(前処理)され、得られた下地除去用の画像パラメータをＢ集積回路１３０の下地除去部１３５に設定する(ステップ５１１)。そして、メモリ２０３に格納されていた裏面画像データを読み出し、Ｂ集積回路１３０において画像処理が行われ(ステップ５１２)、画像処理後の表面画像データが出力される(ステップ５１３)。なお、ステップ５１２において、下地除去部１３５では、設定された下地除去用の画像パラメータに基づいて下地除去(処理)が行われる。
【００５３】
以上説明したように、本実施の形態では、全面下地除去モードが選択された場合、つまり、原稿１ページ分(全面)の画像データに基づく画像パラメータを用いて画像処理を行うモード(画像処理の前処理が必要なモード)が選択された場合には、原稿を反転搬送させて原稿両面の画像を順次読み取るようにしたので、メモリ２０３は原稿１ページ分の画像データを格納できればよいこととなり、低コスト化を図ることができる。特に、本実施の形態では、通常はＣＩＳ５０で読み取られた画像データを格納するために用いられるメモリ２０３を、必要に応じてスキャナ装置７０で読み取られた画像データを格納するために用いることで、装置構成を簡略化し、メモリ２０３を有効に活用することができる。また、通常の先端下地除去モードが選択された場合、つまり、原稿１ページ分の画像データに基づく画像パラメータを用いることなく画像処理を行うモードが選択された場合には、原稿の一度の搬送で原稿両面の画像を読み取るようにしたので、画像読み取りの高速化を図ることができる。
【００５４】
なお、本実施の形態では、全面下地除去モードが選択された場合に、２パスにて原稿両面の画像を読み取るようにしていたが、これに限られるものではなく、例えば原稿上のカラー画像の色合いを自動的に調整する自動カラー調整(ＡＣＣ)モード、複数の原稿の画像を１枚の用紙上に入れ込むＮ-Ｕｐモード等、原稿１ページ分の画像データに基づく画像パラメータが必要とされる画像処理モードが選択された場合にも、２パスにて原稿両面の画像を読み取るようにすることが好ましい。
【図面の簡単な説明】
【００５５】
【図１】本実施の形態が適用される画像読み取り装置を示した図である。
【図２】ＣＩＳを用いた読み取り構造を説明するための図である。
【図３】処理装置を説明するためのブロック図である。
【図４】信号処理部の構成を詳述したブロック図である。
【図５】Ａ集積回路(Ａ集積回路)の構成を示したブロック図である。
【図６】Ｂ集積回路(Ｂ集積回路)の構成を示したブロック図である。
【図７】Ｃ集積回路(Ｃ集積回路)の構成を示したブロック図である。
【図８】画像読み取りコントロールによって実行される処理の一例を示したフローチャートである。
【図９】コントロールパネルに表示されるユーザインタフェース(ＵＩ)の一例を示す図である。
【図１０】(ａ),(ｂ)は１パスによる片面読み取りモードと、１パスによる両面同時読み取りモードの原稿パスを説明するための図である。
【図１１】(ａ)〜(ｄ)は、２パスによる両面読み取りモードの原稿パスを説明するための図である。
【図１２】画像読み取りコントロールによって実行される、下地除去モードの選択を加味した処理の一例を示すフローチャートである。
【図１３】２パスによる両面読み取りＡにおける処理の流れを示すフローチャートである。
【図１４】１パスによる片面読み取りにおける処理の流れを示すフローチャートである。
【図１５】２パスによる両面読み取りＢにおける処理の流れを示すフローチャートである。
【符号の説明】
【００５６】
１０…原稿送り装置、３１…第１搬送路、３２…第２搬送路、３３…第３搬送路、３４…第４搬送路、３５…第５搬送路、３６…第６搬送路、４０…排出トレイ、５０…ＣＩＳ、５１…ガラス、５２…ＬＥＤ、５３…セルフォックレンズ、５４…ラインセンサ、５５…制御部材、７０…スキャナ装置、７４…照明ランプ、７７…結像用レンズ、７８…ＣＣＤイメージセンサ、７９…駆動基板、８０…処理装置、８１…信号処理部、８２…ＡＦＥ、８３…ＡＤＣ、９０…制御部、９１…画像読み取りコントロール、９２…ＣＣＤ/ＣＩＳコントロール、９３…ランプコントロール、９４…スキャンコントロール、９５…搬送機構コントロール、１００…第１画像処理回路、１０１…第１ＣＰＵ、１０２…ＡＦＥ/ＡＤＣ、１０３…第１セレクタ(第１ＳＥＬ)、１１０…Ａ集積回路(ＡＳＩＣ-Ａ)、１１７…下地検知部、１３０…Ｂ集積回路(ＡＳＩＣ-Ｂ)、１３５…下地除去部、２００…第２画像処理回路、２０１…第２ＣＰＵ、２０２…第２セレクタ(第２ＳＥＬ)、２０３…メモリ、２１０…Ｃ集積回路(ＡＳＩＣ-Ｃ)
【図１】
2005151001.tif 000003
【図２】
2005151001.tif 000004
【図３】
2005151001.tif 000005
【図４】
2005151001.tif 000006
【図５】
2005151001.tif 000007
【図６】
2005151001.tif 000008
【図７】
2005151001.tif 000009
【図８】
2005151001.tif 000010
【図９】
2005151001.tif 000011
【図１０】
2005151001.tif 000012
【図１１】
2005151001.tif 000013
【図１２】
2005151001.tif 000014
【図１３】
2005151001.tif 000015
【図１４】
2005151001.tif 000016
【図１５】
2005151001.tif 000017